(57)【要約】【課題】廃棄される商品の数を削減する。【解決手段】商品を販売する店舗に設置された表示装置３と、表示装置３に広告画像を表示させる表示制御装置２と、を備え、表示制御装置２が、広告画像を管理する画像管理装置から提供された、複数の商品に対応する複数の広告画像を記憶する記憶部２２と、複数の商品の少なくとも一部の商品の店舗における残数を取得する残数取得部２３１と、残数取得部２３１が取得した残数に基づいて、複数の広告画像のうち表示装置３に表示させる一以上の広告画像を選択する選択部２３３と、選択部２３３が選択した一以上の広告画像を表示装置３に表示させる表示制御部２３４と、を有する。【選択図】図２
2018197914.tif 000002
【特許請求の範囲】
【請求項１】
商品を販売する店舗に設置された表示装置と、前記表示装置に広告画像を表示させる表示制御装置と、を備え、
前記表示制御装置が、
広告画像を管理する画像管理装置から提供された、複数の商品に対応する複数の広告画像を記憶する記憶部と、
前記複数の商品のうち、少なくとも一部の商品の店舗における残数を取得する残数取得部と、
前記残数取得部が取得した前記残数に基づいて、前記複数の広告画像のうち前記表示装置に表示させる一以上の広告画像を選択する選択部と、
前記選択部が選択した前記一以上の広告画像を前記表示装置に表示させる表示制御部と、
を有する表示システム。
【請求項２】
前記表示制御部は、前記残数が多ければ多いほど、前記残数に対応する前記一以上の広告画像を表示させる頻度を高くする、
請求項１に記載の表示システム。
【請求項３】
前記選択部は、所定の時刻に前記残数取得部が前記残数を取得した前記複数の商品のうち、前記残数が基準数より多く、且つ販売期限までの時間が第１所定時間より短い商品に対応する前記一以上の広告画像を選択する、
請求項１又は２に記載の表示システム。
【請求項４】
前記残数取得部が前記複数の商品の販売予定目標の達成期限の所定時間前に取得した前記残数に基づいて、当該販売予定目標を達成できるか否かを推定する推定部をさらに有し、
前記選択部は、前記推定部の推定結果に基づいて、前記複数の広告画像のうち前記表示装置に表示させる前記一以上の広告画像を選択する、
請求項１から３のいずれか一項に記載の表示システム。
【請求項５】
前記選択部は、入荷数に対する前記残数の割合が閾値以上である商品に対応する前記一以上の広告画像を選択する、
請求項１から４のいずれか一項に記載の表示システム。
【請求項６】
前記選択部は、前記残数取得部が取得した前記残数が前記基準数より多い商品に対応する前記一以上の広告画像とともに前記表示装置に表示する景品用商品に対応する景品用広告画像を選択し、
前記表示制御部は、前記一以上の広告画像と前記景品用広告画像とを関連付けて前記表示装置に表示させる、
請求項３に記載の表示システム。
【請求項７】
前記選択部は、前記複数の商品のうち、前記残数取得部が取得した前記残数が所定の数より多く、販売期限までの時間が第２所定時間より短い商品を前記景品用商品として選択する、
請求項６に記載の表示システム。
【請求項８】
商品を販売する店舗に設置された表示装置に広告画像を表示させる表示制御装置であって、
広告画像を管理する画像管理装置から提供された、複数の商品に対応する複数の広告画像を記憶する記憶部と、
前記複数の商品の少なくとも一部の商品の店舗における残数を取得する残数取得部と、
前記残数取得部が取得した前記残数に基づいて、前記複数の広告画像のうち前記表示装置に表示させる一以上の広告画像を選択する選択部と、
前記選択部が選択した前記一以上の広告画像を前記表示装置に表示させる表示制御部と、
を有する表示制御装置。
【請求項９】
コンピュータが実行する、
広告画像を管理する画像管理装置から提供された、複数の商品に対応する複数の広告画像を記憶するステップと、
前記複数の商品の少なくとも一部の商品の店舗における残数を取得するステップと、
取得した前記残数に基づいて、前記複数の広告画像のうち表示装置に表示させる一以上の広告画像を選択するステップと、
選択した前記一以上の広告画像を前記表示装置に表示させるステップと、
を有する表示制御方法。
【発明の詳細な説明】
【技術分野】
【０００１】
本発明は、表示システム、表示制御装置及び表示制御方法に関し、より詳しくは、広告画像を表示装置に表示するための表示システム、表示制御装置及び表示制御方法に関する。
【背景技術】
【０００２】
店頭又は店内に表示装置を設置し、商品の広告画像を表示装置に表示することが広く行われている。例えば、特許文献１には、サーバから受信した広告画像を表示装置に表示することが記載されている。
【先行技術文献】
【特許文献】
【０００３】
【特許文献１】特開２０１３−２１８０８４号公報
【発明の概要】
【発明が解決しようとする課題】
【０００４】
食品等の商品を扱う店舗では、商品ごとに販売期限が設定されており、販売期限を経過した商品は廃棄される。このため、廃棄される商品の数が多い場合には、店舗の採算性を悪化させるという問題があった。
【０００５】
そこで、本発明はこのような課題に鑑みてなされたものであり、廃棄される商品の数を削減することができる表示システム、表示制御装置及び表示制御方法を提供することを目的とする。
【課題を解決するための手段】
【０００６】
本発明の第１の態様の表示システムは、商品を販売する店舗に設置された表示装置と、前記表示装置に広告画像を表示させる表示制御装置と、を備え、前記表示制御装置が、広告画像を管理する画像管理装置から提供された、複数の商品に対応する複数の広告画像を記憶する記憶部と、前記複数の商品のうち、少なくとも一部の商品の店舗における残数を取得する残数取得部と、前記残数取得部が取得した前記残数に基づいて、前記複数の広告画像のうち前記表示装置に表示させる一以上の広告画像を選択する選択部と、前記選択部が選択した前記一以上の広告画像を前記表示装置に表示させる表示制御部と、を有する。
【０００７】
前記表示制御部は、前記残数が多ければ多いほど、前記残数に対応する前記一以上の広告画像を表示させる頻度を高くしてもよい。
【０００８】
前記選択部は、所定の時刻に前記残数取得部が前記残数を取得した前記複数の商品のうち、前記残数が基準数より多く、且つ販売期限までの時間が第１所定時間より短い商品に対応する前記一以上の広告画像を選択してもよい。
【０００９】
前記残数取得部が前記複数の商品の販売予定目標の達成期限の所定時間前に取得した前記残数に基づいて、当該販売予定目標を達成できるか否かを推定する推定部をさらに有し、前記選択部は、前記推定部の推定結果に基づいて、前記複数の広告画像のうち前記表示装置に表示させる前記一以上の広告画像を選択してもよい。
【００１０】
前記選択部は、入荷数に対する前記残数の割合が閾値以上である商品に対応する前記一以上の広告画像を選択してもよい。
【００１１】
前記選択部は、前記残数取得部が取得した前記残数が前記基準数より多い商品に対応する前記一以上の広告画像とともに前記表示装置に表示する景品用商品に対応する景品用広告画像を選択し、前記表示制御部は、前記一以上の広告画像と前記景品用広告画像とを関連付けて前記表示装置に表示させてもよい。
【００１２】
前記選択部は、前記複数の商品のうち、前記残数取得部が取得した前記残数が所定の数より多く、販売期限までの時間が第２所定時間より短い商品を前記景品用商品として選択してもよい。
【００１３】
本発明の第２の態様の表示制御装置は、商品を販売する店舗に設置された表示装置に広告画像を表示させる表示制御装置であって、広告画像を管理する画像管理装置から提供された、複数の商品に対応する複数の広告画像を記憶する記憶部と、前記複数の商品の少なくとも一部の商品の店舗における残数を取得する残数取得部と、前記残数取得部が取得した前記残数に基づいて、前記複数の広告画像のうち前記表示装置に表示させる一以上の広告画像を選択する選択部と、前記選択部が選択した前記一以上の広告画像を前記表示装置に表示させる表示制御部と、を有してもよい。
【００１４】
本発明の第３の態様の表示制御方法は、コンピュータが実行する、広告画像を管理する画像管理装置から提供された、複数の商品に対応する複数の広告画像を記憶するステップと、前記複数の商品の少なくとも一部の商品の店舗における残数を取得するステップと、取得した前記残数に基づいて、前記複数の広告画像のうち表示装置に表示させる一以上の広告画像を選択するステップと、選択した前記一以上の広告画像を前記表示装置に表示させるステップと、を有してもよい。
【発明の効果】
【００１５】
本発明によれば、廃棄される商品の数を削減することができるという効果を奏する。
【図面の簡単な説明】
【００１６】
【図１】第１の実施形態に係る表示システムの構成を示す図である。
【図２】表示制御装置の構成を示す図である。
【図３】選択部による広告画像の選択方法について説明するための図である。
【図４】表示制御部による広告画像の表示の例について説明する。
【図５】表示制御装置の動作の一例を示すフローチャートである。
【図６】第２の実施形態の選択部による広告画像の選択方法について説明するための図である。
【図７】広告画像と景品用広告画像との組み合わせの例を示す図である。
【図８】表示制御部が表示装置に表示する広告画像を時系列的に示す。
【発明を実施するための形態】
【００１７】
＜第１の実施形態＞
［表示システムＳの概要］
図１は、第１の実施形態に係る表示システムＳの構成を示す図である。表示システムＳは、画像管理装置１、表示制御装置２及び表示装置３を備える。画像管理装置１は、広告画像を管理するサーバであり、例えば、商品を販売する複数の店舗に広告画像を提供する本部に設置されている。広告画像は、複数の店舗に共通で用いられる広告のための画像であり、動画像であってもよい。本明細書中における「本部」は、店舗に対して広告画像を提供する主体であり、本部と店舗が同一企業に属していてもよく、異なる企業に属していてもよい。
【００１８】
表示制御装置２は、例えば、商品を販売する店舗内に設置されたコンピュータである。表示制御装置２は、通信回線を介して画像管理装置１から複数の広告画像を受信し、受信した広告画像を記憶する。複数の広告画像は、店舗で販売されている商品を販促するための画像であり、複数の商品に対応している。また、表示制御装置２は、画像伝送インターフェース（例えばＨＤＭＩ（登録商標）インターフェース）等を介して、表示装置３と接続されている。表示制御装置２は、記憶している複数の広告画像のうち、１又は２以上の広告画像を表示装置３に表示させる。より詳しくは、表示制御装置２は、記憶している広告画像のうち、残数の多い商品に対応する広告画像を表示装置３に表示させる。残数とは、店舗に入荷した商品のうち、顧客がまだ購入していない商品の数である。
【００１９】
表示装置３は、店舗の店頭又は店内に設置され、広告画像を表示するディスプレイである。ディスプレイの種類は任意であるが、屋外に設置された状態で広告を視認しやすくするために、表示装置３は、複数のカラー発光ダイオードを配列したパネルを有するディスプレイであることが望ましい。
【００２０】
表示制御装置２は、画像管理装置１から受信した複数の広告画像のうち、残数の多い商品に対応する広告画像を表示装置３に表示させる。このため、残数の多い商品を販促することができる。したがって、販売期限を経過して廃棄になる商品の数を削減することができる。
【００２１】
［表示制御装置２の構成］
図２は、表示制御装置２の構成を示す図である。表示制御装置２は、受信部２１、記憶部２２及び制御部２３を有する。受信部２１は、通信網を介して画像管理装置１と通信するための通信インターフェースであり、画像管理装置１から通信網を介して複数の広告画像を受信する。受信部２１は、受信した複数の広告画像を記憶部２２に記憶させる。
【００２２】
記憶部２２は、ＲＯＭ（Read Only Memory）、ＲＡＭ（Random Access Memory）、ハードディスク等の記憶媒体を含む。記憶部２２は、制御部２３が実行するプログラムを記憶している。また、記憶部２２は、画像管理装置１から提供された複数の広告画像を記憶している。
【００２３】
制御部２３は、例えばＣＰＵ（Central Processing Unit）であり、記憶部２２に記憶されたプログラムを実行することにより、残数取得部２３１、推定部２３２、選択部２３３及び表示制御部２３４として機能する。残数取得部２３１は、店舗において販売されている複数の商品のうち、少なくとも一部の商品の店舗における残数を取得する。具体的には、残数取得部２３１は、店舗のＰＯＳ（Point Of Sales）システムと連携し、ＰＯＳシステムから複数の商品の残数を取得する。一例としては、残数取得部２３１は、予め定められた時刻に複数の商品の残数を取得するが、一定時間ごとに残数を取得してもよい。
【００２４】
また、残数取得部２３１は、店舗のオーナーが複数の商品の販売予定目標を設定した場合には、販売予定目標の途中段階における達成度を把握するために、販売予定目標の達成期限の所定時間前に残数を取得する。店舗のオーナーは、例えば、商品ごとに販売予定目標を定める。また、店舗のオーナーは、天候等による売上の変動を考慮して、一日ごとに販売予定目標を異ならせてもよい。
【００２５】
推定部２３２は、残数取得部２３１が取得した商品の残数と、販売予定目標の達成期限までの時間とに基づいて、販売予定目標を達成できるか否かを推定する。例えば、推定部２３２は、商品の残数と、販売予定目標の達成期限までの時間に応じて割り当てられた判定閾値とを比較することにより、販売予定目標を達成できるか否かを推定する。例えば、判定閾値は、販売予定目標を達成可能であると仮定した場合に、残数取得部２３１が残数を取得した時点において購入されているはずの商品の数を商品の入荷数から差し引くことにより決定することができる。また、店舗のオーナーが判定閾値を決定してもよい。
【００２６】
推定部２３２は、商品の残数が判定閾値より大きい場合には、販売予定目標を達成できない可能性が高いと判定する。一方、商品の残数が判定閾値以下である場合には、販売予定目標を達成できない可能性は低いと判定する。
【００２７】
例えば、サンドイッチＡの一日の販売予定目標が１００個、販売予定目標の達成期限が１８時００分、残数取得部２３１が達成期限の６０分前である１７時００分に取得したサンドイッチＡの残数が２５個であったとする。また、サンドイッチＡの達成期限の６０分前に割り当てられた判定閾値が２０個であったとすれば、推定部２３２は、サンドイッチＡの残数（２５個）が判定閾値（２０個）より多いため、達成期限の１８時００分までにサンドイッチＡの販売予定目標を達成できない可能性が高いと推定する。
【００２８】
選択部２３３は、店舗の商品を販促するために、表示装置３に表示させる広告画像を選択する。選択部２３３は、記憶部２２に記憶されている複数の広告画像のうち、１又は複数の広告画像を選択する。より詳しくは、選択部２３３は、残数取得部２３１が取得した商品の残数に基づいて、一以上の広告画像を選択する。例えば、選択部２３３は、残数取得部２３１が取得した商品の残数が基準数より多く、且つ販売期限までの時間が第１所定時間より短い商品は、売り切れる前に販売期限を経過する可能性が高いと判定し、この商品に対応する一以上の広告画像を選択する。
【００２９】
第１所定時間は、商品の販売期限が近いか否かを判別するための目安であり、例えば、３時間である。基準数は、売り切れる前に販売期限を経過する可能性が高い商品を判別するための目安であり、販売期限までの時間に応じて商品ごとに割り当てられる。一例としては、基準数は、第１所定時間が３時間の場合、３個である。基準数は、例えば、残数取得部２３１が残数を取得した時間帯における時間当たりの商品の販売数と第１所定時間とに基づいて、決定することができる。
【００３０】
また、選択部２３３は、残数取得部２３１が取得した商品の残数が基準数以下である場合、及び、商品の販売期限までの時間が第１所定時間以下である場合は、この商品に対応する広告画像を選択しない。図３を参照して、選択部２３３による広告画像の選択方法について説明する。図３は、複数の広告画像が対応する商品の例を示す。図３の表には、複数の広告画像の広告ＩＤ、時間指定の有無、広告画像が対する商品の商品名、残数、基準数、販売期限までの時間及び第１所定時間をそれぞれ示す。
【００３１】
図３の例では、広告ＩＤ「Ａ１」の広告画像が対応する商品「サンドイッチＡ」は、残数が１０個であり、販売期限が２時間後である。選択部２３３は、商品「サンドイッチＡ」に対し、基準数として３個、第１所定時間として３時間を割り当てている。商品「サンドイッチＡ」の残数（１０個）は基準数（３個）より多く、且つ販売期限までの時間（２時間）は、第１所定時間（３時間）より短い。このため、選択部２３３は、商品「サンドイッチＡ」は、売り切れる前に販売期限を経過する可能性が高いと判定し、商品「サンドイッチＡ」に対応する広告ＩＤ「Ａ１」の広告画像を選択する。
【００３２】
広告ＩＤ「Ａ３」の広告画像が対応する商品「おでんＢ」は、残数が１個であり、販売期限が２時間３０分後である。選択部２３３は、商品「おでんＢ」に対し、基準数として２個、第１所定時間として３時間を割り当てている。商品「おでんＢ」の販売期限までの時間（２時間３０分）は、第１所定時間（３時間）より短いが、残数（１個）は基準数（２個）以下である。このため、選択部２３３は、商品「おでんＢ」は売り切れる前に販売期限を経過する可能性は低いと判定し、商品「おでんＢ」に対応する広告ＩＤ「Ａ３」の広告画像を選択しない。
【００３３】
また、広告ＩＤ「Ａ４」の広告画像が対応する商品「弁当Ａ」は、販売期限までの時間が８時間であり、選択部２３３が第１所定時間として商品「弁当Ａ」に割り当てた２時間以下である。このため、選択部２３３は、商品「弁当Ａ」は売り切れる前に販売期限を経過する可能性は低いと判定し、商品「弁当Ａ」に対応する広告ＩＤ「Ａ４」の広告画像を選択しない。
【００３４】
画像管理装置１が提供する広告画像のうち、時間指定がされている広告画像については、指定された時間以外に表示装置３に表示することができない。例えば、広告ＩＤ「Ａ２」の広告画像が対応する商品「おでんＡ」は、残数（７個）が基準数（３個）より多く、且つ販売期限までの時間（１時間３０分）は、第１所定時間（３時間）より短いため、選択部２３３は、商品「おでんＡ」は売り切れる前に販売期限を経過する可能性が高いと判定する。ただし、広告ＩＤ「Ａ２」の広告画像は、１７時〜２０時の間に限って表示装置３に表示することが許可されている。このため、選択部２３３は、１７時〜２０時の間であれば、広告ＩＤ「Ａ２」の広告画像を選択し、１７時〜２０時以外であれば、広告ＩＤ「Ａ２」の広告画像を選択しない。
【００３５】
また、図２の選択部２３３は、推定部２３２の推定結果に基づいて、記憶部２２が記憶している複数の広告画像のうち、一以上の広告画像を選択する。選択部２３３は、推定部２３２が販売予定目標を達成できない可能性が高いと推定した商品を販促することを目的として、この商品に対応する一以上の広告画像を選択する。
【００３６】
表示制御部２３４は、画像伝送インターフェース（例えばＨＤＭＩインターフェース）を介して、選択部２３３が選択した一以上の広告画像を表示装置３に表示させる。例えば、表示制御部２３４は、商品の残数が多ければ多いほど、残数が多い商品に対応する一以上の広告画像を表示させる頻度を高くする。
【００３７】
図４を参照して、表示制御部２３４による広告画像の表示の例について説明する。図４は、表示制御部２３４が表示装置３に表示する広告画像を時系列的に示す図である。図４（ａ）は、表示制御部２３４が、受信部２１において画像管理装置１から受信した広告画像Ａ１〜Ａ１０をそのまま全て表示する場合の例を示している。図４（ｂ）は、表示制御部２３４が選択部２３３において選択した広告画像を表示させる頻度を高くした場合の例を示している。
【００３８】
表示制御部２３４は、選択部２３３が選択した広告ＩＤ「Ａ１」及び「Ａ２」の広告画像を表示させる頻度を高くする。図４（ｂ）では、表示制御部２３４は、広告ＩＤ「Ａ１」及び「Ａ２」の広告画像を表示させる回数を図４（ａ）の状態より増加させており、図４（ａ）の広告ＩＤ「Ａ３」、「Ａ６」及び「Ａ８」の広告画像を表示するタイミングにおいて、これらの広告画像の代わりに広告ＩＤ「Ａ１」の広告画像を表示させる。また、表示制御部２３４は、図４（ａ）の広告ＩＤ「Ａ４」の広告画像を表示するタイミングにおいて広告ＩＤ「Ａ４」の広告画像の代わりに広告ＩＤ「Ａ２」の広告画像を表示させる。
【００３９】
図４の例では、表示制御部２３４は、商品の残数が多ければ多いほど、残数が多い商品に対応する一以上の広告画像を表示させる頻度を高くする。図４の例では、広告ＩＤ「Ａ１」の広告画像が対応する商品「サンドイッチＡ」の残数は、広告ＩＤ「Ａ２」の広告画像が対応する商品「おでんＡ」の残数より多い。そこで、表示制御部２３４は、広告ＩＤ「Ａ１」及び「Ａ２」の広告画像を表示する回数をいずれも増加させつつ、広告ＩＤ「Ａ１」の広告画像を表示する回数を広告ＩＤ「Ａ２」の広告画像を表示する回数よりさらに多くしている。
【００４０】
［表示制御装置２の動作のフローチャート］
図５は、表示制御装置２の動作の一例を示すフローチャートである。この処理手順は、例えば、予め定められた時刻に開始する。まず、残数取得部２３１は、ＰＯＳシステムから商品の店舗における残数を取得する（Ｓ１０１）。次に、選択部２３３は、残数を取得した商品の販売期限をＰＯＳシステムから取得する（Ｓ１０２）。
【００４１】
さらに、選択部２３３は、商品の販売期限までの時間である残時間と、第１所定時間とを比較する（Ｓ１０３）。選択部２３３は、残時間が第１所定時間よりも小さい場合には（Ｓ１０３のＹＥＳ）、残数取得部２３１が取得した残数と、基準数とを比較する（Ｓ１０４）。選択部２３３は、残数が基準数より大きい場合には（Ｓ１０４のＹＥＳ）、残数に対応する広告画像を選択する（Ｓ１０５）。さらに、残数取得部２３１は、残数を取得していない商品があるか否かを判定する（Ｓ１０６）。表示制御部２３４は、残数取得部２３１において全ての商品の残数を取得したと判定した場合に（Ｓ１０６のＮＯ）、選択部２３３が選択した全ての商品に対応する広告画像を表示し（Ｓ１０７）、処理を終了する。
【００４２】
残数取得部２３１は、ステップＳ１０３の判定において販売期限までの残時間が第１所定時間以上である場合に（Ｓ１０３のＮＯ）、ステップＳ１０６の処理に移る。また、残数取得部２３１は、ステップＳ１０４の判定において残数が基準数以下である場合には（Ｓ１０４のＮＯ）、ステップＳ１０６の処理に移る。残数取得部２３１は、ステップＳ１０６の判定において残数をまだ取得していない商品がある場合には（Ｓ１０６のＹＥＳ）、残数をまだ取得していない商品についてステップＳ１０１〜Ｓ１０５の処理手順を繰り返す。
【００４３】
本実施の形態によれば、表示制御部２３４が、商品の店舗における残数に基づいて、一以上の広告画像を表示装置３に表示させる。このため、広告画像を表示することにより、残数に応じて商品を販促することができる。したがって、食品等の商品において販売期限を経過して廃棄になる数を削減することができる。また、画像管理装置１から受信した広告画像を表示装置３に表示させるので、例えば、フランチャイズ契約等により商品の販促のための店舗独自の広告画像を表示することが制限されている場合にも、商品を販促することができる。
【００４４】
また、残数が多い商品は、売り切れる前に販売期限を経過する可能性が比較的高い。本実施の形態によれば、表示制御部２３４は、残数が多ければ多いほど、残数に対応する一以上の広告画像を表示させる頻度を高くする。このため、売り切れる前に販売期限を経過する可能性が高い商品から優先して販促することができる。したがって、売り切れる前に販売期限を経過する商品の数をより効率的に削減することができる。
【００４５】
また、本実施の形態によれば、推定部２３２は、販売予定目標を達成できるか否かを推定し、表示制御部２３４は、推定部２３２の推定結果に基づいて、一以上の広告画像を表示装置３に表示させる。したがって、表示制御部２３４は、推定部２３２において販売予定目標を達成できる可能性が低いと推定した商品について優先的に販促することができる。したがって、販売予定目標を達成する商品の数を増加させることができる。
【００４６】
＜第２の実施形態＞
第１の実施形態では、選択部２３３が、商品の残数が基準数より多い商品に対応する広告画像を選択する場合の例について説明した。これに対し、第２の実施形態では、選択部２３３が、入荷数に対する残数の割合が閾値以上である商品に対応する一以上の広告画像を選択する場合の例について説明する。
【００４７】
入荷数が多い商品は、通常、時間当たりの販売数が多い。このような商品では、入荷後に一時的に残数が多くなった場合であっても、販売期限までの販売数が多くなるため、売り切れる前に販売期限を経過する可能性は必ずしも高いわけではない。そこで、選択部２３３は、入荷数の大小の影響を受けずに、売り切れる前に販売期限を経過する可能性が高い商品を特定するために、入荷数に対する残数の割合を利用する。
【００４８】
選択部２３３は、入荷数に対する残数の割合が閾値以上である商品に対応する一以上の広告画像を選択する。一方、選択部２３３は、入荷数に対する残数の割合が閾値未満である商品に対応する一以上の広告画像を選択しない。
【００４９】
図６を参照して、第２の実施形態の選択部２３３による広告画像の選択方法について説明する。図６は、複数の広告画像が対応する商品の例を示す。図６の表には、複数の広告画像の広告ＩＤ、時間指定の有無、広告画像が対する商品の商品名、在庫率、閾値、販売期限までの時間及び第１所定時間をそれぞれ示す。
【００５０】
在庫率は、入荷数に対する残数の割合であり、例えば百分率で示される。閾値は、売り切れる前に販売期限を経過する可能性が高い商品を判別するための目安であり、販売期限までの時間に応じて商品ごとに割り当てられる。閾値は、例えば、１０％である。
【００５１】
図６の例では、広告ＩＤ「Ａ３」の広告画像が対応する商品「おでんＢ」は、在庫率が１１％であり、販売期限が２時間３０分後である。また、選択部２３３は、商品「おでんＢ」に対し、閾値として１０％、第１所定時間として４時間を割り当てている。商品「おでんＢ」の在庫率（１１％）は閾値（１０％）以上であり、且つ販売期限までの時間（２時間３０分）は、第１所定時間（４時間）より短い。このため、選択部２３３は、商品「おでんＢ」が売り切れる前に販売期限を経過する可能性が高いと判定し、商品「おでんＢ」に対応する広告ＩＤ「Ａ３」の広告画像を選択する。
【００５２】
一方、広告ＩＤ「Ａ１」の広告画像が対応する商品「サンドイッチＡ」の在庫率は、５％であり、閾値（１０％）未満である。このため、選択部２３３は、商品「サンドイッチＡ」は売り切れる前に販売期限を経過する可能性は低いと判定し、商品「サンドイッチＡ」に対応する広告ＩＤ「Ａ１」の広告画像を選択しない。
【００５３】
本実施の形態によれば、選択部２３３は、入荷数に対する残数の割合が閾値以上である商品に対応する一以上の広告画像を選択する。このため、入荷数の大小の影響を受けず、売り切れる前に販売期限を経過する可能性が高い商品を精度よく特定することができる。
【００５４】
［変形例］
また、コンビニエンスストア等の店舗では、商品に景品用商品を付して販促することがある。そこで、表示制御部２３４は、選択部２３３が選択した商品に対応する広告画像に加えて、景品用商品に対応する景品用広告画像を表示してもよい。
【００５５】
例えば、選択部２３３は、残数取得部２３１が取得した残数が基準数より多い商品に対応する一以上の広告画像を選択し、選択した広告画像に加えて、景品用商品に対応する景品用広告画像をさらに選択する。景品用商品は、例えば、フリーズドライのみそ汁である。
【００５６】
景品用商品は、新たに入荷してもよいが、選択部２３３は、店舗において販売されている複数の商品のうち、残数取得部２３１が取得した残数が所定の数より多く、販売期限までの時間が第２所定時間より短い商品を景品用商品として選択してもよい。所定の数は、景品として利用可能な程度の数であり、例えば、１０数個である。また、景品用商品は、販促の対象となる商品よりも販売期限までの時間が長いことが望ましい。このため、第２所定時間は、第１所定時間よりも長い期間であることが望ましい。
【００５７】
図７は、広告画像と景品用広告画像との組み合わせの例を示す図であり、商品「弁当Ａ」に景品としてフリーズドライのみそ汁を付す場合の例を示す。図７（ａ）に広告画像の例を示し、図７（ｂ）に景品用画像の例を示す。表示制御部２３４は、図７（ａ）に示す商品「弁当Ａ」を販促するための広告画像と、図７（ｂ）に示すフリーズドライのみそ汁の景品用画像とを互いに関連付けて表示装置３に表示させる。
【００５８】
図８は、表示制御部２３４が表示装置３に表示する広告画像を時系列的に示す。図８の例では、表示制御部２３４は、図４（ａ）の広告ＩＤ「Ａ６」及び「Ａ８」の広告画像を表示するタイミングにおいて、これらの広告画像の代わりに広告ＩＤ「Ａ４」の広告画像を表示させる。また、表示制御部２３４は、図４（ａ）の広告ＩＤ「Ａ７」及び「Ａ９」の広告画像を表示するタイミングにおいて、これらの広告画像の代わりに広告ＩＤ「Ｆ」の景品用画像を表示させる。このとき、表示制御部２３４は、選択部２３３において選択した商品「弁当Ａ」に対応する広告ＩＤ「Ａ１」と、広告ＩＤ「Ｆ」の景品用画像とを順に表示装置３に表示させる。
【００５９】
このような構成を採用することにより、表示制御部２３４は、一以上の広告画像と、景品用広告画像とを関連付けて表示装置３に表示させるので、表示装置３を見た者に対し、広告画像が対応する商品の購買意欲を喚起させることができる。このため、廃棄となる商品の数をより効果的に削減することができる。
【００６０】
なお、表示制御部２３４が、図７（ａ）に示す広告画像と、図７（ｂ）に示す景品用画像を順に表示する場合の例について説明したが、本発明はこれに限定されない。例えば、図７（ａ）に示す広告画像と、図７（ｂ）に示す景品用画像とを組み合わせた合成画像を生成し、この合成画像を表示装置３に表示する構成であってもよい。
【００６１】
また、表示制御部２３４は、一以上の広告画像と、景品用広告画像とを関連付けて表示装置３に表示させる場合の例について説明したが、本発明は、これに限定されない。例えば、表示制御部２３４は、残数取得部２３１が取得した商品の残数が基準数より多く、且つ販売期限までの時間が第１所定時間より短い商品を値引き表示するための広告画像を表示装置３に表示させてもよい。
【００６２】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００６３】
１  画像管理装置
２  表示制御装置
３  表示装置
２１  受信部
２２  記憶部
２３  制御部
２３１  残数取得部
２３２  推定部
２３３  選択部
２３４  表示制御部
Ｓ  表示システム
【図１】
2018197914.tif 000003
【図２】
2018197914.tif 000004
【図３】
2018197914.tif 000005
【図４】
2018197914.tif 000006
【図５】
2018197914.tif 000007
【図６】
2018197914.tif 000008
【図７】
2018197914.tif 000009
【図８】
2018197914.tif 000010